(57)【要約】【課題】合理的かつ簡明で優れた機能を備えたガラス床に誘導灯を組み込み、避難誘導その他の誘導に必要な場合にのみそれが視認性を確保してその作用を発揮する意匠性に優れたものであること。【解決手段】床ガラス４とこれを支持する支持枠２とでガラス床本体１を構成し、床ガラス４は二枚のガラス板４ａ、４ａを不透明・透光性の接着性中間膜４ｂで貼り合わせて構成する。支持枠２の長尺支分支持枠２ａ、２ａの内側部に沿って配したＬＥＤ３ａ、３ａ…と、床ガラス４の下方に配した上向きの反射面３ｂとで照明部３を構成し、反射面３ｂ上に取付台５ａを介して平面から見て矢印状に配置したＬＥＤ５ｂ、５ｂ…と、これらのＬＥＤ５ｂ、５ｂ…の発光動作を制御する制御手段とで案内標識部５を構成する。【選択図】  図１
2007332538.tif 000002
【特許請求の範囲】
【請求項１】
床ガラスとこれを支持する支持部材とでガラス床本体を構成し、
前記ガラス床本体の床ガラスとして、二枚のガラス板を不透明・透光性の接着性中間膜で貼り合わせて構成した合わせガラスを採用し、
かつ前記床ガラス本体に照明部と案内標識部とを取り付けるものとし、
前記照明部を、前記床ガラスの下方に下向きに配した発光手段と、該発光手段の放射光を該床ガラス側に反射させる上向きの反射面とで構成し、
前記案内標識部を、前記反射面上に配した一定の発光角で発光する発光素子であって、平面から見て案内表示を構成するように配列した上向きの複数の発光素子と、該複数の発光素子の発光動作を制御する制御手段とで構成した誘導灯付きガラス床。
【請求項２】
前記案内標識部の発光素子を、これらと前記床ガラスとの間の間隔を調節して該発光素子の発光照射によって生じる前記床ガラスのスポット状照射面の径を調整できるように、前記反射面上に配置した高さ調整可能な取付台上に配した請求項１の誘導灯付きガラス床。
【請求項３】
前記制御手段を、前記複数の発光素子が、これらによって構成した案内表示の指し示す方向に向かって順次点灯する点灯サイクルを繰り返すように発光制御すべく構成した請求項１又は２の誘導灯付きガラス床。
【請求項４】
前記反射面を、前記支持部材に前記床ガラスと対面させて係止した面材の上面に白色の塗装を施すことで構成した請求項１、２又は３の誘導灯付きガラス床。
【請求項５】
前記反射面を、ガラス床本体を支持部材を介して支持する床下地に白色の塗装を施すことで構成した請求項１、２又は３の誘導灯付きガラス床。
【請求項６】
前記発光素子としてＬＥＤを採用した請求項１、２、３、４又は５の誘導灯付きガラス床。
【発明の詳細な説明】
【技術分野】
【０００１】
本発明はＲＣ造及び木造等の各種の建築物の床に組み込むことができる誘導灯付きガラス床に関するものである。
【背景技術】
【０００２】
ガラス床に誘導灯を組み込んだ誘導灯付きガラス床は現時点ではまだ知られていない。
ガラス床に関しても本件出願人の提案する前には、ガラスブロックを用いて構成するそれや板ガラスを用いて構成するそれがあったが、いずれも満足すべきものはなかった。
【０００３】
前者のガラスブロックを用いたガラス床としては、複数の横方向部材とセグメント部材とを縦横に配し、かつそれらの四辺を外周部材で囲んで、平面から見て格子状の枠体を構成し、各格子中に各々弾性ブーツを外装したガラスブロックを嵌め込む構造のそれ（特許文献１）がある。
【０００４】
このような特許文献１のガラス床は、床面を構成するガラスとしてガラスブロックを採用したものであるため、格子部材により小さな格子を構成してそこに嵌め込むものとせざるを得ず、結局、格子の目立つ、重さを感じるデザインとなり易く、デザイン的に自由度の乏しいものとなる。またガラスブロックはサイズ的に小さい割に重量があり、更に、上記のように、格子が小さなものとなるため、実際に全体として重量が大きくなり、その設置作業は相当な重筋作業となる。
【０００５】
またこの構成では、万が一ガラスブロックが割れた場合には、下方が閉じられていなければ、その下層階にガラスの破片が落下する虞があり、極めて危険である。このようにガラスが割れた場合又はヒビが入った場合等にガラスブロックの交換の必要が生じる筈であるが、その交換も容易とは言い難い、等の種々の問題がある。
【０００６】
他方、後者の板ガラスを用いたガラス床にも優れた提案はなく、現時点ではまだあまり普及しているとも云えない。現在、若干行われている施工事例は、その場の建設条件に合わせて個別に設計され、既存の種々の汎用の建設材料を加工して構成されているものであり、高価で施工性も悪く、仕上がりも必ずしもスマートなものとは云えないものである。
【０００７】
本件出願人は、以上のようなガラス床の問題点を解消し、施工が簡単で、スマートであり、かつガラス板の固定も確実な二つの関係技術を提案している。
【０００８】
その一つは、合わせガラスに構成した複数のガラス板を敷設してなるガラス床を支持するガラス床用の支持構造であって、縦横に敷設するガラス板間の格子状の目地の少なくとも交点に対応させて配する高さ調節機能を備えた支柱部材と、縦横に敷設するガラス板の少なくとも目地に沿って格子状に配する支持フレームであって、その上面両側で緩衝材を介して該目地両側のガラス板の辺部を支持するとともに、その少なくとも交点で前記支柱部材によって支持される支持フレームと、縦横に敷設するガラス板の目地中に挿入してその両側のガラス板の下支分ガラス板の辺部を各々支持する一対のガラス係止片であって、前記支持フレームの上部の係止溝にその下部を挿入して係止するガラス係止片と、該一対のガラス係止片間に挿入して、該各ガラス係止片による下支分ガラス板の支持状態及び該両ガラス係止片の前記支持フレームの係止溝に対する係止状態を固定する挿入固定片と、縦横に敷設するガラス板の目地中の上支分ガラス板間に挿入する目地材とで構成したガラス床用の支持構造（特許文献２）である。
【０００９】
もう一つは、合わせガラスに構成した床ガラスと、床構造の一部に固設する固設手段を備えた複数の支分支持枠を平面から見て閉じた状態に接続してなる支持枠であって、該支分支持枠の各々に前記床ガラスの対応する縁部の下面を支持する台座部及び該床ガラスの対応する縁部の端面を支持する直立支持部を構成し、かつ複数の支分支持枠を相互の端部間で弾力的に接続する接続部材及び該床ガラスの下面から突出する固定片をそのスリット部中で支持する固定部材を挿入する連続接続空間を備えた支持枠と、前記台座部と床ガラスとの間に介在させて緩衝作用を持たせる緩衝帯材と、前記直立支持部と床ガラスの縁部の端面との間に介在させる弾性目地材と、両側を各々隣接する支分支持枠の連続接続空間に装入して該支分支持枠相互を結合する接続部材と、前記連続接続空間にスライド自在に装入して前記固定片をそのスリット部中で支持する固定部材と、床ガラスの下面から延長し、前記固定部材のスリット部中に挿入して該床ガラスの浮上を防止する固定片とで構成したガラス床ユニット（特許文献３）である。
【００１０】
前記したように、それぞれ前記技術の問題点を解決した有用な技術であるが、前記したように、これらは災害時に避難者を建物外の安全な場所に誘導するために誘導灯の組み込まれたものではない。
【００１１】
以上のようなガラス床ではなく、通常の床に誘導灯を構成した例はある。
その一つは、床パネルの表面に凹部を設ける一方、該パネルの凹部内の底側に導光板を配置し、該導光板の側部に放電管を配置すると共に、上記パネルの凹部内の上側に透光性カバーを配置し、該透光性カバーと上記導光板との間に表示フィルムを配置してなる床パネル（特許文献４）である。
【００１２】
この床パネルは、以上のように、その一部に避難誘導灯を構成するものであり、この避難誘導灯は、視界を遮る物のない床に誘導灯を構成し、避難者の誘導を容易にしうるようにしたとする観点からは、有効性が認められるが、災害時に限定されず、床にこの避難誘導灯の表示が常時露出しているのはデザイン上からは好ましいものとは思われない。
【００１３】
もう一つは、床下内に配線材等を収納可能とする二重床構造を形成する床パネル本体に設けられた、配線用接続器等の床用配線器具を取り付けるための開口に装着させる取付ベースに発光手段を配設し、同発光手段の前面に周縁に段差部を有した透光カバーを設け、該段差部に床パネル本体表面と同様のカーペット等の床仕上げ材を配置してなる照明装置（特許文献５）である。
【００１４】
この照明装置は、レイアウトの変更に敏速に対応できるという有用性は認められるが、前記特許文献４の床パネルと同様に、避難誘導灯として作用する発光手段等が構成された部位が、災害時に限定されず、床に常時露出しているものであり、デザイン上から好ましいものとは思われない。
【００１５】
【特許文献１】特許第２８４０６９３号公報
【特許文献２】特開２００４−３１６３５５号公報
【特許文献３】特開２００５−２９９３０６号公報
【特許文献４】特開平０６−２９９６８２号公報
【特許文献５】特開２００５−３０７６２１号公報
【発明の開示】
【発明が解決しようとする課題】
【００１６】
本発明は、以上のような従来技術の問題点を解決し、合理的で簡明であり、確実に板ガラスの固定ができる等の優れた機能を具えたガラス床に誘導灯を組み込み、避難誘導又はその他の目的による誘導に必要な場合にのみそれが視認性を確保してその作用を発揮する意匠性に優れた誘導灯付きガラス床を提供することを解決の課題とする。
【課題を解決するための手段】
【００１７】
本発明の１は、床ガラスとこれを支持する支持部材とでガラス床本体を構成し、前記ガラス床本体の床ガラスとして、二枚のガラス板を不透明・透光性の接着性中間膜で貼り合わせて構成した合わせガラスを採用し、かつ前記床ガラス本体に照明部と案内標識部とを取り付けるものとし、前記照明部を、前記床ガラスの下方に下向きに配した発光手段と、該発光手段の放射光を該床ガラス側に反射させる上向きの反射面とで構成し、前記案内標識部を、前記反射面上に配した一定の発光角で発光する発光素子であって、平面から見て案内表示を構成するように配列した上向きの複数の発光素子と、該複数の発光素子の発光動作を制御する制御手段とで構成した誘導灯付きガラス床である。
【００１８】
本発明の２は、本発明の１の誘導灯付きガラス床に於いて、前記案内標識部の発光素子を、これらと前記床ガラスとの間の間隔を調節して該発光素子の発光照射によって生じる前記床ガラスのスポット状照射面の径を調整できるように、前記反射面上に配置した高さ調整可能な取付台上に配したものである。
【００１９】
本発明の３は、本発明の１又は２の誘導灯付きガラス床に於いて、前記制御手段を、前記複数の発光素子が、これらによって構成した案内表示の指し示す方向に向かって順次点灯する点灯サイクルを繰り返すように発光制御すべく構成したものである。
【００２０】
本発明の４は、本発明の１、２又は３の誘導灯付きガラス床に於いて、前記反射面を、前記支持部材に前記床ガラスと対面させて係止した面材の上面に白色の塗装を施すことで構成したものである。
【００２１】
本発明の５は、本発明の１、２又は３の誘導灯付きガラス床に於いて、前記反射面を、ガラス床本体を支持部材を介して支持する床下地に白色の塗装を施すことで構成したものである。
【００２２】
本発明の６は、本発明の１、２、３、４又は５の誘導灯付きガラス床に於いて、前記発光素子としてＬＥＤを採用したものである。
【発明の効果】
【００２３】
本発明の１の誘導灯付きガラス床によれば、その下方に配した案内表示を構成する発光素子等の部材は、特にこれを用いる必要のないときには、外部からは一切見えることがない。そのため、ガラス床の意匠を損ねることがない。
【００２４】
前記照明部の発光手段が発光動作して前記床ガラスから床上にその光が透過し、周囲を柔らかな光で照明する場合も、該床ガラスの下方の案内標識部の発光素子その他の部材が透過して上方から視認可能になるようなことはない。そのためこの場合も、ガラス床の意匠を損ねる虞はない。
【００２５】
他方、地震や火災等の非常時、若しくはその他の理由でその上に至った人の誘導が必要な場合には、前記案内標識部の発光素子が発光駆動され、それらによって床ガラスにスポット状照射面による案内表示が形成され、床面上部側の避難者その他の被誘導者によってこれが明確に認識され得ることになる。即ち、案内標識部の案内表示は、不要な場合は一切見えない状態を保持することで、ガラス床のデザインを損ねることを回避し、他方、必要な場合には、直ちに明瞭に認識可能な状態に形成されて確実に認識できるようになる。
【００２６】
本発明の２の誘導灯付きガラス床によれば、床上の避難者その他の被誘導者からの視認性を最も高くできるように、発光素子の発光によって生じる床ガラスのスポット状照射面の径を適切に調整することができる。
【００２７】
本発明の３の誘導灯付きガラス床によれば、例えば、避難方向その他の誘導方向を指し示す矢印等の案内表示をその指し示す方向に合わせて順次発光させることができるため、より一層、避難者等の被誘導者に避難方向その他の誘導方向を正確かつ分かり易く報知することができることになる。
【００２８】
本発明の４の誘導灯付きガラス床によれば、上方の床ガラスと適切な距離で適切な反射機能を持った反射面を容易に構成することができる。
【００２９】
本発明の５の誘導灯付きガラス床によれば、ＲＣ造のように、下方に床スラブがある場合は、これを利用することで、より簡易に反射面を構成することができる。
【００３０】
本発明の６の誘導灯付きガラス床によれば、適切な光量と適切な発光角を持った発光素子を容易に得ることができる。
【発明を実施するための最良の形態】
【００３１】
本発明の誘導灯付きガラス床は、基本的に、ガラス床本体と、その下方に配した照明部と、前記ガラス床本体の床ガラスの下方に構成した案内標識部とからなる。
【００３２】
前記ガラス床本体は、床ガラスとこれを支持する支持部材とで構成したものであり、特に重要なことは、該床ガラスとして、二枚のガラス板を不透明・透光性の接着性中間膜で貼り合わせて構成した合わせガラスを採用することである。なお、該接着性中間膜の色は特定のそれに限定されない。デザイン上の都合により種々の色を自由に採用することができる。
【００３３】
前記支持部材の構成は特定のそれに限定されない。例えば、ＲＣ造の建物で、ガラス床をその床スラブを床下地として、その上に構成する場合は、支柱を立設して床ガラスの四隅部又は辺の途中を点支持する構成、或いは、同様に配した支柱と、これで支持される支持枠を利用した構成等を採用することができる。
【００３４】
例えば、後者のタイプの床ガラスの支持部材は、縦横に敷設する床ガラスの目地に沿って格子状に配し、その上面両側で緩衝材を介して該目地両側の床ガラスの辺部を支持する支持枠と、前記目地中の下部に挿入してその両側の床ガラスの辺部を各々該支持枠に固定する固定手段と、縦横に敷設する床ガラスの目地中の上部に充填する目地材と、該支持枠を、その交点で支持する床スラブ上に立ち上げた支柱部材とで構成することができる。
【００３５】
また、前記支持部材は、例えば、木造や鉄骨造の建物等、若しくはＲＣ造でも床スラブから以上の例のように立ち上げる構成以外を採用する場合は、次のような構成が採用できる。
【００３６】
例えば、このような床ガラスの支持部材は、４本の支分支持枠を四辺形の辺に沿って配し、それぞれを四隅部で結合して四辺形のユニット型に構成することができる。該支分支持枠は、各々に建物の床構造の一部に固設する固設手段、床ガラスの対応する辺部の下面を支持する台座部及び該床ガラスの対応する辺部の端面を支持する直立支持部の各々を備えたものとするのが適当である。前記床ガラスは、該台座部との間に緩衝作用を持たせる緩衝帯材を介在させ、該直立支持部と該床ガラスの辺部端面との間に弾性目地材を介在させるのが適当である。
【００３７】
前記照明部は、前記床ガラスの下方に下向きに配した発光手段と、該発光手段の放射光を該床ガラス側に反射させる上向きの反射面とで構成する。
【００３８】
前記発光手段には、種々の放電管や照明用のＬＥＤ等を採用することができる。これらの発光手段は、床ガラスの支持部材として、その辺を支持する支持枠を採用している場合は、例えば、該支持枠の側部の全部又は一部に沿って取付部材を配設し、該取付部材に下向きに連設することができる。床ガラスの支持部材としてその隅部又は辺部を点支持する構成を採用している場合は、発光手段は、例えば、床下地上に取付座を立ち上げ、その下面に下向きに連設することができる。これは前記支持枠を採用した場合も当然適用可能である。
【００３９】
以上のいずれの場合も、該発光手段の背後、即ち、その上方側には、必要に応じて、該発光手段の放射光を下方に向けて反射させるべく下向き反射面を構成しておくことができる。この下向き反射面は、適当なサイズの板材に白色の塗装を行う等によって構成することができる。
【００４０】
前記上向きの反射面は、前記発光手段の発した光を上部の床ガラス側に反射することをその役割とする物であり、そのような目的を実現することができる種々の構成を自由に採用することができる。例えば、前記ガラス床本体の直下にこれを支持する床スラブ等の床下地が位置している場合は、該反射面は、該床下地に白色の塗装を施すことで構成することができる。また前記支持部材として、前記のような支持枠を構成した場合は、該反射面は、該支持枠に前記床ガラスと対面させて面材を係止し、その上面に白色の塗装を施すことで構成することができる。
【００４１】
前記案内標識部は、前記反射面上に配した一定の発光角で発光する発光素子であって、平面から見て案内表示を構成するように配列した上向きの複数の発光素子と、該複数の発光素子の発光動作を制御する制御手段とで構成したものである。
【００４２】
前記発光素子としては、前記のように指向性を有し、一定の発光角で発光することができ、かつ適当な光量を有するものであれば、種々のそれを自由に採用することができる。例えば、該発光素子として、そのような条件を満たす照明用のＬＥＤを採用することができる。
【００４３】
該発光素子は、前記反射面上に直接に又は何らかの取付台を介して配することができる。該発光素子は、単なる取付台ではなく、前記反射面上に配置した高さ調整可能な取付台上に配することもできる。これによって、該発光素子と前記床ガラスとの間の間隔を調節して該発光素子の発光照射によって生じる前記床ガラスのスポット状照射面の径を自由に調整できることになる。このスポット状照射面の径は、その上を歩く避難者その他の被誘導者が認識し易いサイズに決定するべきなのは云うまでもない。例えば、これは、案内表示のデザインによって種々であるが、簡単な矢印を構成する場合等には、２０mm前後が適当である。
【００４４】
以上の発光素子は、前記したように、平面から見て案内表示を構成するように配列すべきものであり、該案内表示は、避難者その他の被誘導者に案内又は誘導すべき方向を示す表示である。例えば、矢印又は案内方向を示す指先の図柄等であるが、その目的が達成される限り、特定の図柄に限定されない。またその表示態様も、その目的、例えば、地震や火災等の際の避難誘導のため、或いは、来訪者を建物の特定の部屋その他に案内するため等により若干異なり得るが、いずれにしても、目的に応じて適宜デザインすべきものである。
【００４５】
前記制御手段は、前記複数の発光素子の発光動作を、目的に応じて制御するように構成する。例えば、地震や火災等の災害時の避難者の誘導のための場合は、それらの検知手段等からの火災や所定レベル以上の地震の発生を報知する信号、火災報知器からの信号、或いは管理者の操作等によって、該発光素子の発光動作を開始させるように構成する。またこのとき、該発光素子の発光動作は、継続的な発光又は点滅発光等を行うべく制御するように構成することができる。適切な制御態様を選択して行うよう構成すべきである。例えば、このような制御態様としては、前記複数の発光素子を、これらによって構成される案内表示の指し示す方向に向かって順次点灯する点灯サイクルを繰り返すそれを採用することができる。
【００４６】
また前記案内標識部の発光素子及び制御手段の動作用の電源としては、無停電電源を用意しておき、これを使用することとするのが適当である。
【００４７】
従って本発明の誘導灯付きガラス床によれば、床ガラスとして、二枚のガラス板を不透明・透光性の接着性中間膜で貼り合わせて構成した合わせガラスを採用したので、その下方に配した案内表示を構成する発光素子等の部材は、通常、外部からは一切見えることがない。そのため、ガラス床の意匠を損ねる虞がない。
【００４８】
夜間、或いは都合により昼間でも照明部の発光素子を発光駆動するものとすることができるが、そうすると、その照射光は、直接に又は周囲の構成要素で反射して反射面に入射し、ここで多くの光が反射して前記床ガラスに照射されることになる。該床ガラスの一部を構成する中間膜は不透明・透光性であるから、一部を吸収しながらその光を床上に透過させ、該ガラス床を構成した室内又は廊下等を柔らかな光で照明することになる。しかしこの場合も、その下方の案内標識部の発光素子その他の部材が透過して見えるようになることはない。そのためこの場合も、ガラス床の意匠を損ねる虞は全くない。
【００４９】
他方、地震や火災等の非常時、或いは別の理由で案内動作が必要な場合には、制御手段の設定に従って前記案内標識部の発光素子が発光駆動され、これらが所定の発光角で発光すると、各々が前記床ガラスに適切な径のスポット状照射面を作り、それらの全体によって案内表示が形成される。こうして表示された案内表示は床面上方に位置する避難者や被誘導者によって明確に認識され得ることになる。即ち、発光素子によって形成される案内表示は必要な場合は明瞭に認識可能になるが、それ以外の場合には一切見えず、ガラス床のデザインを損ねるようなことはない。
【００５０】
前記発光素子を、前記反射面上に配置した高さ調整可能な取付台上に配置した場合は、該発光素子の発光角を考慮し、これと床ガラスとの間隔を適切に設定することにより、該発光素子の発光によって生じる該床ガラスのスポット状照射面の径を適切に調整することができることになり、これによって、床上の避難者等の被誘導者からの視認性を最も高くなるようにすることができる。
【００５１】
前記制御手段による制御態様を、前記複数の発光素子が、これらによって構成される案内表示の指し示す方向に向かって順次点灯する点灯サイクルを繰り返す態様に構成した場合は、避難方向又は誘導方向を指し示す矢印等の案内表示がその指し示す方向に一致して順次発光するようになるので、より一層、避難者等の被誘導者に誘導方向を正確かつ分かり易く報知することができることになる。
【００５２】
前記反射面を、前記のように、前記支持枠に前記床ガラスと対面させて係止した面材の上面に白色の塗装を施すことで構成した場合は、上方の床ガラスと適切な距離で適切な反射機能を持った上向きのそれを容易に構成することができる。また前記反射面を、前記のように、床下地に白色の塗装を施すことで構成した場合は、より簡易に反射面を作成することができる。
【００５３】
前記発光素子としてＬＥＤを採用した場合は、適切な光量と適切な発光角を持ったそれを容易に得ることができる。
【実施例１】
【００５４】
この実施例１の誘導灯付きガラス床は、図１及び図２に示すように、基本的に、ガラス床本体１と、その支持枠（支持部材）２の平行な二辺を構成する長尺支分支持枠２ａ、２ａの内側部及び該ガラス床本体１の床ガラス４の下方に構成した照明部３と、該ガラス床本体１の床ガラス４の下方中央付近に構成した案内標識部５とで構成したものである。
【００５５】
前記ガラス床本体１は、図１〜図４に示すように、長方形の床ガラス４と、二本の長尺支分支持枠２ａ、２ａ及び２本の短尺支分支持枠２ｂ、２ｂを四辺形に接続して構成した支持枠２と、ＥＰＴゴム製の緩衝帯材６、６…と、前記床ガラス４の長尺支分支持枠２ａ又は短尺支分支持枠２ｂへの固着部材７、７…と、該長尺支分支持枠２ａ、２ａと該短尺支分支持枠２ｂ、２ｂとを四隅部で直角に結合するナイロン樹脂製の接続部材（図示せず）とで構成したものである。
【００５６】
前記床ガラス４は、図１、図３及び図４に示すように、この実施例１では、平面から見て長方形に構成した合わせガラスを採用した。該床ガラス４は、二枚のガラス板４ａ、４ａを接着性中間膜４ｂで貼り合わせて構成したものである。該ガラス板４ａ、４ａとしては強化ガラスを採用し、かつ該接着性中間膜４ｂとしては不透明で白色透光性のＰＶＢ膜を採用した。
【００５７】
前記支持枠２は、前記し、図２に示すように、２本の長尺支分支持枠２ａ、２ａ及び２本の短尺支分支持枠２ｂ、２ｂを接続して四辺形に構成したものである。長方形の二つの長辺に沿って前者を、二つの短辺に沿って後者を、それぞれ配置し、相互を四隅部で、図示しない前記接続部材により接続して構成したものである。該長尺支分支持枠２ａと短尺支分支持枠２ｂとはその長さを除いては同一構成である。
【００５８】
前記長尺支分支持枠２ａは、図１及び図３に示すように、床構造の一部である根太８に固設する固設部２ａ１、前記床ガラス４の対応する辺の下面を支持する台座部２ａ２、該辺の端面の下部付近を前記固着部材７を介して固定する直立支持部２ａ３、前記接続部材を挿入する連続接続空間２ａ４及び前記台座部２ａ２の内端側から垂下する補助固設部２ａ５を備えたアルミニウム製の部材である。以上の構成要素は、該長尺支分支持枠２ａの全長さ方向にわたって同一に構成されている。
【００５９】
なお前記短尺支分支持枠２ｂも以上の構成は全く同一であり、固設部、台座部、直立支持部、連続接続空間及び補助固設部を備えたアルミニウム製の部材である。
【００６０】
前記固設部２ａ１は、図１及び図３に示すように、該根太８の上面にその下面側が当接し、該根太８の材質に応じて木ビス又はボルト等によってそれにねじ込み固定するための水平板部に構成したものであり、該木ビス又はボルト等をねじ込むための結合孔が、特に図２から理解されるように、その両端付近と中央部に開口してある。なお該固設板部２ａ１は、その裏面側に、端面から見てＬ形及び逆Ｌ形の突出部がそれぞれ構成してあり、これらによって補強されている。
【００６１】
前記台座部２ａ２は、図１及び図３に示すように、前記固設部２ａ１の内端から更に内方に延長し、該延長部上に前記連続空間２ａ４を構成しつつその上に構成する。その座面は設置時に水平になるように構成し、その幅は前記床ガラス４の対応する辺を不都合なく載置し得る寸法、即ち、この実施例１では１２mmとした。該台座部２ａ２の座面には前記緩衝帯材６をその上に結合固定するための結合溝を構成しておく。この結合溝は、この実施例１では、座面の中央にその長さ方向に沿って形成した断面円形の空間を座面側に開口して構成したものである。
【００６２】
前記直立支持部２ａ３は、図１及び図３に示すように、前記台座部２ａ２の外端（前記固設部２ａ１の内端）側から立ち上げて構成する。その高さは、その上端が、該台座部２ａ２上に載置した床ガラス４の上面を僅かに越えるだけのそれとする。該直立支持部２ａ３の裏面側には、端面から見てＬ形及び逆Ｌ形の突出部がそれぞれ構成してあり、これらによって補強されている。また上部側の突出部の上端からは床の仕上げ材であるフローリング９ａの端部上面に被覆係止する突片が突出状に形成されている。
【００６３】
前記連続接続空間２ａ４は、図１及び図３に示すように、前記固設部２ａ１の内端から内方に延長した延長部上に、端面から見るとほぼ四辺形となる角筒状部に囲まれた空間に構成する。前記したように、その上辺上の面が前記台座部２ａ２を構成することとなる。
【００６４】
前記補助固設部２ａ５は、図１及び図３に示すように、前記台座部２ａ２の内端から垂下し、前記連続接続空間２ａ４の内方の側辺を兼ねつつ更にその下方にまで垂下した板状の部材であり、最下端で内側に載置片２ａ６が突出させてある。該補助固設部２ａ５の外面側で、該連続接続空間２ａ４より下方の部位には、端面から見て円弧状、Ｌ形及び逆Ｌ形の突出部がそれぞれ構成してあり、これらによって補強されている。
【００６５】
前記緩衝帯材６は、前記し、図１及び図３に示すように、ＥＰＴゴムによって帯状に形成した部材であり、その下面には、その中央に沿って前記台座部２ａ２の結合溝に結合し得る断面円形の結合突条を形成してある。
【００６６】
前記固着部材７は、図１及び図３に示すように、長尺支分支持枠２ａ又は短尺支分支持枠２ｂの直立支持部２ａ３の下部内面と、前記台座部２ａ２にその対応する辺部を載せた床ガラス４の該辺の端部との間に介在させ、両者を接着固定する帯板状部材である。接着性の樹脂材によって構成したものである。
【００６７】
前記接続部材はナイロン樹脂素材で形成した平面から見てＬ形の部材であり、これを、前記長尺支分支持枠の連続接続空間２ａ４と前記短尺支分支持枠２ｂの連続接続空間の中に、それぞれ端部側から挿入して、両者を直角に接続するために使用する手段である。二本の長尺支分支持枠２ａ、２ａと二本の短尺支分支持枠２ｂ、２ｂによって四辺形の支持枠２を構成する際に、その四隅を、上記のように、接続部材で接続して、その四辺形を保持することができることになる。
【００６８】
前記照明部３は、図１及び図３に示すように、前記長尺支分支持枠２ａの内側部を構成する補助固設部２ａ５の上部内面に沿って連設したＬＥＤ３ａ、３ａ…と、該ＬＥＤ３ａ、３ａ…より低位で前記床ガラス４の下方に配した上向きの反射面３ｂと、図示しない電源部とで構成する。
【００６９】
前記ＬＥＤ３ａ、３ａ…は、前記補助固設部２ａ５の上部内面に、その長さ方向に沿って固設した取付片３ｃを介して連設する。該取付片３ｃは、直立固定板３ｃ１とその下方に構成した下向きＣチャネル状の取付部３ｃ２とからなり、該直立固定板３ｃ１を該補助固設部２ａ５の上記部位に固設することで取り付ける。前記ＬＥＤ３ａ、３ａ…は、上記のように、該補助固設部２ａ５に固設した取付片３ｃの取付部３ｃ２内に長尺の基板３ａ１を介して取り付ける。該ＬＥＤ３ａ、３ａ…は、該基板３ａ１に直列状態に取り付け、該基板３ａ１を、前記のように、下向きＣチャネル状の該取付部３ｃ２内に下向きに取り付け、こうして、該ＬＥＤ３ａ、３ａ…を該取付部３ｃ２内に下向きで連設した状態とする。なお前記基板３ａ１は、その下向きの面を白色に塗装し下向き反射面に構成した。
【００７０】
前記反射面３ｂは、図１及び図３に示すように、前記床ガラス４と対面して配した面材３ｄの上面を白色に塗布して構成したものである。該面材３ｄは、その長尺支分支持枠２ａ、２ａ側の二辺を立ち上げて側壁を形成し、該側壁の上端から更に外方に鍔体を張り出し、その外端から再度上部側壁を立ち上げて係止段部３ｄ１、３ｄ１を構成したアルミニウム製の部材であり、該係止段部３ｄ１、３ｄ１を、長尺支分支持枠２ａ、２ａの補助固設部２ａ５の下端に構成した載置片２ａ６に載置係止して、その上面の反射面３ｂを、前記のように、前記床ガラス４に対面させる。
【００７１】
前記電源部は、云うまでもなく、前記ＬＥＤ３ａ、３ａ…にその発光動作のための電力を供給するものであり、商用電源から適切な電圧に変圧し、かつ直流電力に変換する市販の装置を採用する。
【００７２】
前記案内標識部５は、図１〜図４に示すように、前記反射面３ａを構成する面材３ｄ上に配した取付台５ａと、この取付台５ａ上に矢印（案内表示）を形成すべく配列した複数のＬＥＤ５ｂ、５ｂ…と、これらのＬＥＤ５ｂ、５ｂ…の発光動作を制御する図示しない制御手段と、図示しない無停電電源装置とで構成したものである。
【００７３】
前記ＬＥＤ５ｂ、５ｂ…は、一定の発光角で白色に発光し、適切な光量を有する照明用のそれを採用した。またこれらのＬＥＤ５ｂ、５ｂ…は、前記し、かつ図２から理解されるように、平面から見て矢印を形成するように、前記取付台５ａ上に配列する。
【００７４】
前記取付台５ａは、図１及び図４に示すように、取付板５ａ１を構成する長方形の基板と、これを支持する脚部５ａ２、５ａ２…とで構成したものであり、脚部５ａ２、５ａ２…は、その高さを、前記ＬＥＤ５ｂ、５ｂ…の照射光で前記床ガラス４に直径がほぼ２０mmになるスポット状照射面ｓが形成されるように、決定する。前記取付板５ａ１は、前記のように、ＬＥＤ５ｂ、５ｂ…を配した基板そのものであるが、その上面は白色に塗布し、反射面としても作用させるようにする。また前記脚部５ａ２、５ａ２…はその下端の固定板部を前記反射面３ｂを構成する面材３ｄに接着固定する。
【００７５】
前記制御手段は、前記ＬＥＤ５ｂ、５ｂ…を目的に応じて発光制御する手段であり、この実施例１では、動作開始信号を受けると、平面から見て矢印状に配列された該ＬＥＤ５ｂ、５ｂ…を、最後端のそれから先端のそれに向かって順次点灯し、先端のそれが点灯すると全部消灯するサイクルを繰り返すべく制御するように構成した。また動作開始信号としては、火災報知器の報知信号、火災感知器の感知信号、地震感知器の感知信号、緊急地震速報信号及び管理者の動作開始信号その他の関係の信号を入力することが可能であり、これらのいずれかが入力されると動作を開始するように構成したものである。
【００７６】
前記無停電電源は、前記ＬＥＤ５ｂ、５ｂ…を発光駆動し、かつ前記制御手段を駆動するための電源であり、この実施例１では、市販のそれを採用した。前記照明部３のＬＥＤ３ａ、３ａ…を火災時や地震発生時等の災害時にも点灯させておきたい場合には、前記制御手段に動作開始のための信号が入力された場合に、前記電源部に代えて、この無停電電源の電力で発光駆動されるように、電源回路が切り替わるように構成しておくことができる。
【００７７】
従ってこの実施例１の誘導灯付きガラス床は、以下のように組み立て、床に簡単に組み込むことが可能である。
【００７８】
前記支持枠２は、図２に示すように、二本の長尺支分支持枠２ａ、２ａと二本の短尺支分支持枠２ｂ、２ｂを平面から見て長方形の辺に沿った状態に配列し、このとき、前記したように、前記Ｌ形の接続部材でその四隅を接続し、その形を保持する。
【００７９】
前記長尺支分支持枠２ａ、２ａ及び短尺支分支持枠２ｂ、２ｂには、予めそれらの各台座部２ａ２上に緩衝帯材６を配しておく。該緩衝帯材６は、その下面側に構成した結合突条を該台座部２ａ２の結合溝に嵌合させることで固設する。また前記長尺支分支持枠２ａ、２ａには、前記したように、その補助固設部２ａ５にＬＥＤ３ａ、３ａ…を配した取付片３ｃを固設しておく。
【００８０】
前記支持枠２を以上のように構成した後、床ガラス４を該支持枠２中に設置する。該床ガラス４は、図１、図２及び図３に示すように、その四辺を各々対応する台座部２ａ２上に前記緩衝帯材６を介して載置する。このとき、床ガラス４の四辺の端部と、前記長尺支分支持枠２ａ、２ａ及び前記短尺支分支持枠２ｂ、２ｂの直立支持部２ａ３等の下部内面との間に前記固着部材７を介在させ、相互を接着固定するものとする。
【００８１】
この後、床ガラス４の四辺の端面上部と、対応する長尺支分支持枠２ａ、２ａの直立支持部２ａ３の上部内面並びに短尺支分支持枠２ｂ、２ｂの直立支持部の上部内面との間にシール材１０を充填する。
【００８２】
このようにしてガラス床ユニットを組み立てた上で、前記のように、長尺支分支持枠２ａ、２ａの補助固設部２ａ５の下端に構成した載置片２ａ６に前記面材３ｄをその係止段部３ｄ１、３ｄ１で載置係止する。もっとも、この場合の手順は、これに限る趣旨ではない。該面材３ｄには、先に述べたように、ＬＥＤ５ｂ、５ｂ…を配した取付台５ａが配してあるのは云うまでもない。
【００８３】
以上のように組み立てたこの実施例１の誘導灯付きガラス床のユニットは、木造、鉄骨造或いはＲＣ造の建築物の床に組み込んで、誘導灯付きの部分ガラス床を構成するのに使用することができる。以下には木造建築物の床に設置した例を示す。
【００８４】
まず建物の床構造中に該ユニットの支持枠２の寸法に対応して根太８、８…を配して置き、固設部２ａ１等を利用して各長尺支分支持枠２ａ、２ａ及び短尺支分支持枠２ｂ、２ｂを該根太８、８…に取り付ける。特に図２に示すように、長尺支分支持枠２ａ、２ａ及び短尺支分支持枠２ｂ、２ｂの固設部２ａ１等を該根太８の上面に当接させた上で、それぞれ上から木ビス１１、１１…をねじ込んでその当接状態を固定し、該支持枠３の四辺を根太８、８…に固定する。これで誘導灯付きガラス床は完成である。
【００８５】
なお図中、９ｂは下地材である。
【００８６】
従ってこの実施例１の誘導灯付きガラス床によれば、火災時や地震発生時等の災害時には案内標識部５の矢印状の案内表示を構成するＬＥＤ５ｂ、５ｂ…が、前記したように、誘導方向に向かって移動するごとく、点滅点灯し、避難者の誘導に有効に作用する。他方、常時は、該案内標識部５の案内表示を構成するＬＥＤ５ｂ、５ｂ…は点灯せず、外面に現れることがない、それ故、ガラス床のデザインを損ねる虞が全くない。
【００８７】
この誘導灯付きガラス床は、床ガラス４として、二枚のガラス板４ａ、４ａを不透明・透光性の接着性中間膜４ｂで貼り合わせて構成した合わせガラスを採用したので、その下方に配した案内表示を構成するＬＥＤ５ｂ、５ｂ…は、通常、外部から一切見えることがない。そのため、前記したように、ガラス床の意匠を損ねることがないものである。
【００８８】
前記照明部３のＬＥＤ３ａ、３ａ…は、この実施例１では、非常時以外は、常に発光駆動するものとしたものである。従って、その該ＬＥＤ３ａ、３ａ…の照射光は、直接に又は白色塗装の下向き反射面に構成した基板３ａ１及び周囲の構成要素で反射して下方の反射面３ｂに入射し、ここで多くの光が反射して前記床ガラス４に照射されることになる。下向き反射面に構成した基板３ａ１の白色塗装面及びその周囲の構成要素は完全に平滑ではないので、これらに照射される光は乱反射し、また一部は吸収されながら該反射面３ｂに入射し、ここでもまた一部が吸収されつつ若干の乱反射をしながら上方の床ガラス４に反射する。該床ガラス４の一部を構成する接着性中間膜４ｂは不透明・透光性であるから、一部を吸収しながらその光を床上に透過させ、該ガラス床を構成した室内又は廊下等を柔らかな光で照明することになる。しかしこの場合も、その下方の案内標識部５のＬＥＤ５ｂ、５ｂ…その他の部材が透過して見えるようになることはない。そのためこの場合も、ガラス床の意匠を損ねる虞はない。
【００８９】
他方、制御手段に、地震や火災に起因する動作開始信号が入力すると、案内標識部５のＬＥＤ５ｂ、５ｂ…を発光動作させるべく制御を開始し、該ＬＥＤ５ｂ、５ｂ…は、該制御動作に従って発光する。前記したように、該ＬＥＤ５ｂ、５ｂ…は、平面から見て矢印を形成するように配置されており、その後端のＬＥＤ５ｂから順次前端側のＬＥＤ５ｂに向かって０．５秒の時間間隔で点灯させ、先端のＬＥＤ５ｂが点灯してから０．５秒後に全ＬＥＤ５ｂ、５ｂ…が消灯し、０．５秒の消灯時間を保持し、以後、この点灯サイクルを繰り返す。
【００９０】
各ＬＥＤ５ｂは、所定の発光角で発光するものであり、前記したように、各ＬＥＤ５ｂとその上方の床ガラス４との間隔を適切に設定し、該ＬＥＤ５ｂの発光によって該床ガラス４に形成されるスポット状照射面ｓの径をほぼ２０mmになるように設定したため、それら全体のスポット状照射面ｓ、ｓ…によって形成される矢印状の案内表示は、該ガラス床上を歩く者（避難者等）によって明瞭に認識できるようになる。またそのＬＥＤ５ｂ、５ｂ…の点灯の仕方は、前記した通りであるから、スポット状照射面ｓ、ｓ…によって形成される矢印は、その指し示す方向に向かって進むように見え、避難方向をより認識しやすくすることができる。
【実施例２】
【００９１】
実施例２の誘導灯付きガラス床は、図５に示すように、実施例１のそれの長尺支分支持枠２ａを約３倍に延長した長尺支分支持枠１２ａ、１２ａと交換して支持枠１２を構成し、該支持枠１２中に３枚の床ガラス４、４、４を同様にして配置して長尺のガラス床ユニットを構成し、該ガラス床ユニットの長尺支分支持枠１２ａ、１２ａに、実施例１の照明部３の約３倍の長さの照明部を構成し、更に各床ガラス４の下方に、実施例１の案内標識部５と同様の案内標識部を構成したものである。各案内標識部の制御手段は、共通のそれを用いる点を除いては実施例１のそれと同様である。
【００９２】
従ってこの実施例２の誘導灯付きガラス床によれば、誘導灯の連続したガラス床を容易に構成し得、火災時や地震発生時等の災害時には、避難者により明瞭に避難方向を示すことが可能となる。他方、常時は、該案内標識部の案内表示を構成するＬＥＤは点灯せず、外面に現れることがない、それ故、より長く構成したガラス床のデザインを損ねる虞が全くない。
【００９３】
前記のように、この実施例２では、前記照明部を長尺支分支持枠１２ａの長さに対応させて長く構成しただけであるから、実施例１のそれと同様に、災害時以外に於いて、同様に動作し、床ガラス４、４、４を通じて柔らかな光でその周囲を照明することができる。床ガラス４、４、４の下方の部材が透けて見えることはなく、そのデザインを損ねることはない。
【００９４】
また、前記したように、各床ガラス４、４、４の下方に構成された案内標識部は、実施例１のそれと同様の構成で、同様に制御されるものとしたので、制御手段に、地震や火災に起因する動作開始信号が入力することになると、それぞれ実施例１で説明したのと同様に動作することになる。従って各案内標識部の動作により、３枚の床ガラス４、４、４には、各々一つずつスポット状照射面ｓ、ｓ…による矢印が形成され、それぞれがその指し示す方向に向かって進むように見えるように点滅点灯するので、避難方向をより認識しやすくなるものでる。
【図面の簡単な説明】
【００９５】
【図１】実施例１の誘導灯付きガラス床の概略断面図。
【図２】実施例１の誘導灯付きガラス床の概略平面図。
【図３】実施例１の誘導灯付きガラス床の一部の拡大断面図。
【図４】実施例１の誘導灯付きガラス床の他の一部の拡大断面図。
【図５】実施例２の誘導灯付きガラス床の概略平面図。
【符号の説明】
【００９６】
１    ガラス床本体
２    支持枠
２ａ  長尺支分支持枠
２ａ１  固設部
２ａ２  台座部
２ａ３  直立支持部
２ａ４  連続接続空間
２ａ５  補助固設部
２ａ６  載置片
２ｂ  短尺支分支持枠
３    照明部
３ａ  ＬＥＤ
３ａ１  基板
３ｂ  反射面
３ｃ  取付片
３ｃ１  直立固定板
３ｃ２  取付部
３ｄ  面材
３ｄ１  係止段部
４    床ガラス
４ａ  ガラス板
４ｂ  接着性中間膜
５    案内標識部
５ａ  取付台
５ａ１  取付板
５ａ２  脚部
５ｂ  ＬＥＤ
６    緩衝帯材
７    固着部材
８    根太
９ａ  フローリング
９ｂ  下地材
１０  シール材
１１  木ビス
１２  支持枠
１２ａ  長尺支分支持枠
ｓ    スポット状照射面
【図１】
2007332538.tif 000003
【図２】
2007332538.tif 000004
【図３】
2007332538.tif 000005
【図４】
2007332538.tif 000006
【図５】
2007332538.tif 000007